(57)【特許請求の範囲】
【請求項１】
車両用内装部品であって、
インジケータ保持部を有する部品本体と、
導光可能な材料からなり、前記インジケータ保持部に対して特定の挿入方向に挿入されることにより当該インジケータ保持部に保持される形状をもつインジケータと、を備え、
前記インジケータは、前記挿入方向の前側を向く前側面と、この前側面上の複数の位置でさらに前側に突出する先尖り状の被保持突起と、を有し、
前記インジケータ保持部は、前記被保持突起が前記挿入方向に突き刺さり可能な材料からなり、その突き刺さりにより当該被保持突起を保持する前側保持部と、この前側保持部に前記被保持突起が突き刺さる位置で当該インジケータを前記挿入方向の後側から拘束することにより前記前側保持部からの前記被保持突起の離脱を阻止する後側保持部と、を有する、車両用内装部品。
【請求項２】
請求項１記載の車両用内装部品であって、前記部品本体は、内装パネルの表側に露出するように配置されかつ表示用窓を有する表示壁を有し、前記インジケータ保持部は、前記表示用窓の裏側で前記表示壁の裏面から奥行き方向に延びるように形成されて当該インジケータ保持部の長手方向に沿って前記インジケータが挿入される形状を有し、その挿入状態で前記インジケータが前記表示用窓を通じて前記表示壁の表側に向けて光を発する、車両用内装部品。
【請求項３】
請求項２記載の車両用内装部品であって、前記インジケータは、前記インジケータ保持部に対して前記表示壁の裏側から挿入される形状を有するとともに前記表示壁の裏面と対向する前側面を有するインジケータ本体と、このインジケータ本体の前側面からさらに前記挿入方向の前側に突出して前記表示用窓内に嵌入される形状を有する表示部と、を有し、この表示部の周囲の複数の位置で前記前側面から前記被保持突起が突出し、この被保持突起が前記表示壁の裏面に突き刺さる、車両用内装部品。
【請求項４】
請求項３記載の車両用内装部品であって、前記表示用窓が前記表示壁の端部に位置し、前記インジケータ保持部が、前記表示用窓の内側の位置から後方に延びる保持壁と、この保持壁の外側面から突出し、当該保持壁に沿って前記表示壁の裏側から前記インジケータが挿入されるように当該インジケータを前記挿入方向と直交しかつ前記保持壁の法線方向と直交する方向であるインジケータ幅方向の両側から拘束する拘束部と、を有し、前記インジケータの被保持突起は前記表示部を挟んで前記インジケータ幅方向の両側に位置し、前記後側保持部は前記保持壁に形成されている、車両用内装部品。
【請求項５】
請求項１〜４のいずれかに記載の車両用内装部品であって、前記インジケータは、その被保持突起も含めて、前記前側保持部よりもロックウェル硬さの高い材料で形成されている、車両用内装部品。
【発明の詳細な説明】
【技術分野】
【０００１】
本発明は、自動車等の車両の例えば内装パネルに設けられる内装部品であって、その表示のためのインジケータを有するものに関する。
【背景技術】
【０００２】
従来、自動車の内装パネルなどに設けられる内装部品として、その配設位置の表示などを可能にするためのインジケータを含むものが知られている。
【０００３】
図８は、このような内装部品の例として、特許文献１に開示される押しボタンを示す。この押しボタンは、ボタン本体８０と、インジケータ９０と、を有する。
【０００４】
前記ボタン本体８０は、前記パネルの表側に露出して指等による押圧操作を受ける被操作壁８２と、この被操作壁８２の周縁から後方に延びる側壁８４と、を有する。前記被操作壁８２には、これを貫通する表示用の窓８３が設けられ、この窓８３の周囲から後方に向かって筒状のインジケータ保持壁８６が延びている。このインジケータ保持壁８６の適所には、これを厚み方向に貫通する係止用孔８８が設けられている。
【０００５】
前記インジケータ９０は、例えばアクリル樹脂のような導光可能な材料により形成され、前記インジケータ保持壁８６により保持される。具体的に、このインジケータ９０は、前記インジケータ保持壁８６内に挿入可能な長尺のインジケータ本体９２と、このインジケータ本体９２の先端面からさらに前方に突出する表示部９３と、前記インジケータ本体９２の後部側面から側方に突出する一対の被保持突起９４と、を有する。前記表示部９３は、前記ボタン本体８０の窓８３内に後方から挿入可能な形状を有し、その挿入状態で前記被保持突起９４が前記インジケータ保持壁８６の係止用孔８８に嵌め込まれることにより、当該インジケータ保持壁８６内にインジケータ９０が固定される。
【０００６】
前記インジケータ９０のすぐ後方には、図略の回路基板上に実装された照明用発光素子１００が配置される。この発光素子１００が発する光は、インジケータ９０のインジケータ本体９２を通じて表示部９３に導かれ、これにより被操作壁８２上の特定領域を照明する。
【先行技術文献】
【特許文献】
【０００７】
【特許文献１】特開２０１０−２２５３２４号公報
【発明の概要】
【発明が解決しようとする課題】
【０００８】
前記インジケータ９０は、表示用窓８３内への表示部９３の挿入と、インジケータ保持壁８６の係止用孔８８内への被保持突起９４の嵌め込みとのみによって保持されるものであるから、当該インジケータ保持壁８６内でガタつき易い。このようなガタつきは、車両の走行時等における異音の発生の要因となる。さらに近年は、デザイン等の要請により、部品本体の外側面上にインジケータを装着することが検討されているが、このようなタイプの内装部品においては、図８に示すインジケータ保持壁８６のようにインジケータを囲むような保持ができないため、安定した装着すら困難となり、脱落のおそれも生じ得る。
【０００９】
本発明は、このような事情に鑑み、部品本体及びこれに装着されるインジケータを有する車両用内装部品であって、著しい構造の複雑化を伴うことなく、前記部品本体による前記インジケータの保持を確実にし、かつ、当該インジケータのガタつきを有効に抑止できるものを提供することを目的とする。
【課題を解決するための手段】
【００１０】
本発明が提供する車両用内装部品は、インジケータ保持部を有する部品本体と、導光可能な材料からなり、前記インジケータ保持部に対して特定の挿入方向に挿入されることにより当該インジケータ保持部に保持される形状をもつインジケータと、を備える。このインジケータは、前記挿入方向の前側を向く前側面と、この前側面上の複数の位置でさらに前側に突出する先尖り状の被保持突起と、を有する。前記インジケータ保持部は、前記被保持突起が前記挿入方向に突き刺さり可能な材料からなり、その突き刺さりにより当該被保持突起を保持する前側保持部と、この前側保持部に前記被保持突起が突き刺さる位置で当該インジケータを前記挿入方向の後側から拘束することにより前記前側保持部からの前記被保持突起の離脱を阻止する後側保持部と、を有する。
【００１１】
この内装部品では、前記インジケータ保持部の前側保持部への前記インジケータの各被保持突起の突き刺さりと、その突き刺さり状態での後側保持部によるインジケータの後側からの拘束と、の組合せが、複雑な構造を用いずに当該インジケータを当該インジケータ保持部において安定して保持することを可能にする。しかも、前側保持部への複数の被保持突起の突き刺さりは、当該前側保持部に対する各被保持突起の相対変位を阻止することにより、インジケータ保持部でのインジケータのガタつきを有効に抑止する。また、当該突き刺さりの度合いによって、インジケータの寸法のバラツキの吸収も可能である。
【００１２】
本発明に係る内装部品の具体的構成としては、例えば、内装パネルの表側に露出するように配置されかつ表示用窓を有する表示壁を有するとともに前記インジケータ保持部が前記表示用窓の裏側で前記表示壁の裏面から奥行き方向に延びるように形成され、このインジケータ保持部は当該インジケータ保持部の長手方向に沿って前記インジケータが挿入される形状を有し、その挿入状態で前記インジケータが前記表示用窓を通じて前記表示壁の表側に向けて光を発するものが、好適である。
【００１３】
この場合、前記インジケータは、前記インジケータ保持部に対して前記表示壁の裏側から挿入される形状を有するとともに前記表示壁の裏面と対向する前側面を有するインジケータ本体と、このインジケータ本体の前側面からさらに前記挿入方向の前側に突出して前記表示用窓内に嵌入される形状を有する表示部と、を有し、この表示部の周囲の複数の位置で前記前側面から前記被保持突起が突出し、この被保持突起が前記表示壁の裏面に突き刺さるものが、好適である。この構造では、インジケータ保持部及び表示用窓に対してインジケータのインジケータ本体及び表示部が表示壁の裏側から挿入されるから、例えば表示壁の前側からインジケータがインジケータ保持部に挿入されるものに比べて前記表示用窓及び表示部の形状の自由度が高い。また、前記表示壁をその裏面に前記被保持突起が突き刺さる前側保持部として利用することが可能である。
【００１４】
また、この構造において、前記前側保持部への前記被保持突起の突き刺さりと、後側保持部によるインジケータの拘束との組合せは、上述のようにインジケータの確実な保持を可能にするから、例えばデザインの関係で前記表示壁の端部に前記表示用窓及び前記表示部を配置したいという要請がある場合も、前記インジケータの確実な保持及びガタつきの抑止を実現しながら当該要請に応えることが可能である。具体的には、前記表示用窓が前記表示壁の端部に位置するものにおいて、前記インジケータ保持部が、前記表示用窓の内側の位置から後方に延びる保持壁と、この保持壁の外側面から突出し、当該保持壁に沿って前記表示壁の裏側から前記インジケータが挿入されるように当該インジケータを前記挿入方向と直交しかつ前記保持壁の法線方向と直交する方向であるインジケータ幅方向の両側から拘束する拘束部と、を有し、前記インジケータの被保持突起は前記表示部を挟んで前記インジケータ幅方向の両側に位置し、前記後側保持部は前記保持壁に形成されたものが、好適である。
【００１５】
この構造では、前記インジケータが表示壁の端部の裏側の位置、換言すれば、当該表示壁の裏面から延びる保持壁の外側の位置に配置されながらも、当該保持壁と、当該保持壁の外側面から突出する拘束部と、表示壁の裏面への被保持突起の突き刺さりと、後側保持部による後側からのインジケータの拘束と、の連携により、当該インジケータを安定して保持することができる。
【００１６】
前記インジケータは、その被保持突起も含めて、前記前側保持部よりもロックウェル硬さの高い材料で形成されたものが好ましい。当該材料により形成された被保持突起は、前記前側保持部により確実に突き刺さって当該前側保持部に保持されることが可能である。
【発明の効果】
【００１７】
以上のように、本発明によれば、部品本体及びこれに装着されるインジケータを有する内装部品であって、著しい構造の複雑化を伴うことなく、前記部品本体による前記インジケータの保持を確実にし、かつ、当該インジケータのガタつきを有効に抑止できるものを提供することができる。
【図面の簡単な説明】
【００１８】
【図１】本発明の実施の形態に係る内装部品である押しボタンの分解斜視図である。
【図２】前記押しボタンが内装パネルに組み付けられた状態を示す正面図である。
【図３】図２のＩＩＩ−ＩＩＩ線断面図である。
【図４】図２のＩＶ−ＩＶ線断面図である。
【図５】図４のＶ部の拡大図である。
【図６】（ａ）及び（ｂ）は前記押しボタンに含まれるインジケータの被保持突起の形状の具体例を示す斜視図である。
【図７】図３のＶＩＩ部の拡大図である。
【図８】従来の押しボタンの断面正面図である。
【発明を実施するための形態】
【００１９】
本発明の好ましい実施の形態を図１〜図７を参照しながら説明する。この実施の形態に係る車両用内装部品は、図２及び図３に示すような内装パネル２に組付けられる押しボタンであり、部品本体であるボタン本体１０と、インジケータ２０と、を備える。しかし、本発明は、このような押しボタンに限定されず、例えば、回転操作されるダイヤルノブや、操作を受けない表示専用の部品にも、適用されることが可能である。
【００２０】
前記ボタン本体１０は、表示壁１２と、周壁１４と、を備える。
【００２１】
前記表示壁１２は、図２及び図３に示すように前記内装パネル２の適所に設けられた貫通穴４を通じて表側に露出するように配置される壁であり、当該表示壁１２の一部に表示用窓１１が形成されている。この実施の形態では、前記表示壁１２は正面からみて略矩形状をなし、その長手方向の一方の端部に前記表示用窓１１が形成され、この表示用窓１１は外向きに開放された切欠状をなす。しかし、本発明では表示用窓の位置は特に限定されず、当該表示用窓は例えば表示壁の中央部位に形成された貫通穴であってもよい。
【００２２】
前記周壁１４は、前記表示壁１２の裏面のうち当該表示壁１２の外縁よりもやや内側の位置から後方（図１及び図３では下方、図４では左方）に延び、全体として略四角筒状をなす。換言すれば、前記表示壁１２の外周部分は、前記周壁１４の外側面から外向きに突出する部分を有し、その外周部分のうちの一部に前記表示用窓１１が形成されている。
【００２３】
このボタン本体１０には、さらに、前記インジケータ２０を前記表示用窓１１の裏側（図１及び図３では下側、図４では左側）の位置に保持するためのインジケータ保持部１６が形成されている。この実施の形態に係るインジケータ保持部１６は、前記表示壁１２の裏面から奥行き方向すなわち後方に延びるように形成され、当該インジケータ保持部１６の長手方向（すなわち奥行き方向）に沿って前記インジケータ２０が前記表示壁１２の裏側から（図１及び図３では下側から、図４では左側から）挿入される形状を有する。このインジケータ保持部１６の具体的構成については後述する。
【００２４】
前記インジケータ２０は、前記表示用窓１１を通じて表示壁１２の表側に向けて光を発することにより表示機能を発揮するものである。具体的に、前記内装パネル２の裏側には図３に示すような回路基板３０が配置され、この回路基板３０上に光源である発光素子３２が実装されており、前記インジケータ２０全体は前記発光素子３２が発した光を前記表示用窓１１側へ導くことが可能な導光機能を有する材料により成形されている。
【００２５】
このインジケータ２０は、インジケータ本体２２と、表示部２４と、一対の被保持突起２６と、を一体に有する。
【００２６】
前記インジケータ本体２２は、前記インジケータ保持部１６に対して前記表示壁１２の裏側から挿入される形状を有するとともに、その挿入方向の前側に位置して前記表示壁１２の裏面と対向する前側面２１を有する。また、インジケータ本体２２のうちインジケータ幅方向両側の部分は他の部分よりも内側に凹んだ被拘束部２３となっており、これら被拘束部２３は前記挿入方向と平行な方向に延びている。
【００２７】
前記表示部２４は、前記前側面２１よりも小さな断面形状であって前記表示用窓１１内に嵌入可能な形状を有し、当該前側面２３の適当な位置からさらに前記挿入方向の前側に突出する。この実施の形態では、前記表示部２４はインジケータ幅方向の中央部位に形成されている。ここで、「インジケータ幅方向」とは、インジケータ保持部１６に対してインジケータ２０が挿入される方向である挿入方向と直交する方向であって、かつ、後述の保持壁１５の法線方向と直交する方向を意味する。この表示部２４は、前記発光素子３２から前記インジケータ本体２２を通じて導かれてきた光を表示壁１２の表側（図１及び図３では上側、図４では右側）に向けて発する。
【００２８】
前記被保持突起２６は、前記表示部２４の周囲の複数の位置、この実施の形態では当該表示部２４を挟んでインジケータ幅方向の両側の位置、で前記前側面２３から前向きに突出し、かつ、先端に向かうに従って断面積が減少する先尖り状をなす。この先尖り状とは、前記被保持突起２６が前記表示壁１２の裏面に対して前記挿入方向に押付けられたときに当該表示壁１２に突き刺さることが可能な程度まで尖った形状であればよく、その範囲内で先端に若干の丸みがあってもよい。また、当該被保持突起２６の具体的な形状は問わず、例えば図６（ａ）に示すような円錐状であってもよいし、図６（ｂ）に示すような角錐状であってもよい。
【００２９】
前記インジケータ２０を構成する材料は、前記の導光機能を有し、かつ、前記表示壁１２を構成する材料よりも高いロックウェル硬さを有するものが、好ましい。例えば、前記表示壁１２も含めてボタン本体１０全体がポリカーボネートにより成形されている場合、インジケータ２０を構成する材料としてはメタクリル樹脂が好適である。
【００３０】
一方、前記インジケータ保持部１６は、前側保持部１３と、保持壁１５と、保持壁１５から突出する一対の拘束部１７と、を有し、前記保持壁１５に後側保持部１８が形成されている。
【００３１】
前記前側保持部１３は、前記インジケータ保持部１６に挿入されたインジケータ２０の前記両被保持突起２６が当該挿入方向に突き刺さる部分であって、その突き刺さりにより当該被保持突起２６を保持する部分である。この実施の形態では、前記表示壁１２のうち前記表示用窓１１を挟んでインジケータ幅方向の両側に位置する部分が前記前側保持部１３に相当する。
【００３２】
前記保持壁１５は、前記表示壁１２の裏面において前記表示用窓１１のすぐ内側の位置から後方に延びる壁である。この実施の形態では、前記周壁１４の一部であって、当該周壁のうち前記表示用窓１１のすぐ内側に位置する部分が前記保持壁１５を構成する。
【００３３】
前記拘束部１７は、前記保持壁１５の外側面から突出し、前記インジケータ２０をインジケータ幅方向の両側から拘束しながら前記挿入方向に案内するように、換言すれば、前記インジケータ２０を前記保持壁１５に沿わせるように、当該挿入方向に延びる。この実施の形態に係る両拘束部１７は、前記インジケータ２０の両被拘束部２３をそれぞれ抱き込む形状を有する。具体的に、各拘束部１７は、前記保持壁１５の外側面からその法線方向に突出する基壁１７ａと、この基壁１７ａからインジケータ幅方向の内向きに突出する抱込み壁１７ｂと、を一体に有し、抱込み壁１７ｂは前記インジケータ２０の被拘束部２３を前記保持壁１５と反対の側から拘束する。この抱込み壁１７ｂについては適宜省略することも可能である。
【００３４】
前記後側保持部１８は、前記被保持突起２６が前記前側保持部１３に突き刺さる位置まで挿入されたインジケータ２０の後端部（図１及び図３では下端部）を後側から拘束して前記前側保持部１３からの前記被保持突起２６の離脱を阻止する部位であり、この実施形態では前記保持壁１５の後端部（図１及び図３では下端部）であって両拘束部１７の間の位置に形成されている。具体的に、前記インジケータ本体２２の後端部には、当該インジケータ本体２２の内側面すなわち前記保持壁１５に対向する面から当該保持壁１５側に被係止突起２８が突出する一方、前記保持壁１５の外側面には前記被係止突起２８が嵌り込み可能な凹部１５ａが形成されており、この凹部１５ａの下端を規定する段差部分が前記後側保持部１８に相当する。また、前記保持壁１５の外側面のうち前記凹部１５ａの後側（図１及び図３では下側）の部分の面は、前記被係止突起２８を前記凹部１５ａに誘い込むように、当該保持壁１５の後端に向かうに従ってボタン本体１０の内側（図３では右側）に退避する向きの傾斜面１９とされている。
【００３５】
この押しボタンすなわち内装部品によれば、インジケータ保持部１６へのインジケータ２０の挿入により、当該インジケータ２０はボタン本体１０に容易に装着され、かつ、確実に保持されるとともに、当該インジケータ２０のガタつきが防がれる。
【００３６】
具体的に、前記インジケータ２０がその表示部２４を先頭にして前記インジケータ保持部１６の下端開口（保持壁１５と両拘束部１７とで囲まれた開口）に下側（表示壁１２の裏側）から挿入されると、当該インジケータ２０は両拘束部１７の拘束及び案内を受けながら保持壁１５に沿って挿入方向（表示壁１２に向かう方向）に進行し、最終的に、当該インジケータ２０の表示部２４が表示用窓１１内に嵌入されるとともに両被保持突起２６が表示壁１２における前側保持部１３（表示用窓１１の両側部分）の裏面に突き当たる位置に到達する。さらにこの位置から前記挿入方向にインジケータ２０が押し込まれると、前記両被保持突起２６が前記前側保持部１３に突き刺さり、これにより当該前側保持部１３に保持される。
【００３７】
その一方、前記インジケータ２０の被係止突起２８は、前記挿入に伴って前記保持壁１５に形成された傾斜面１９に摺接し、前記両被保持突起２６が前記前側保持部１３に突き刺さる位置では凹部１５ａに嵌り込む。これにより、当該凹部１５ａの下端を規定する段差部分である後側保持部１８が前記被係止突起２８を後側から拘束し、前記前側保持部１３からの前記被保持突起２６の離脱を阻止する。
【００３８】
従って、この押しボタンでは、前記前側保持部１３への前記各被保持突起２６の突き刺さりと、その突き刺さり状態での後側保持部１８によるインジケータ２０の後側からの拘束と、の組合せが、複雑な構造を用いることなく当該インジケータ２０を当該インジケータ保持部１６で安定して保持することを可能にする。しかも、前側の突き刺さりは、前記前側保持部１３に対する各被保持突起２６の相対変位（特に突き刺さり方向と直交する方向の変位）を阻止することにより、インジケータ保持部１６でのインジケータ２０のガタつきを有効に抑止する。また、その突き刺さりの度合いによって、前記インジケータ２０の寸法のばらつきを吸収することができる。
【００３９】
なお、本発明において前記インジケータ保持部１６に対する前記インジケータ２０の挿入方向は、前記の方向すなわち表示壁１２の裏側から当該表示壁１２に向かう方向に限定されない。例えば、インジケータが表示壁の表側から表示用窓を通じてインジケータ保持部に挿入される形状であってもよい。この場合も、インジケータはその挿入方向の前側に前側面及び被保持突起を有すればよく、インジケータ保持部はその挿入方向の前側に前記被保持突起が突き刺さり可能な前側保持部を有すればよい。しかしながら、この場合には、前記インジケータ全体が前記表示用窓に挿入可能な形状、すなわち、当該表示用窓よりも小さい断面を有する形状でなければならないのに対し、前記実施形態のようにインジケータ２０が前記インジケータ保持部１６に対して表示壁１２の裏側から挿入される構造では、表示用窓１１及びこれに嵌入される表示部２４の形状を自由に設定できるという利点がある。また、前記表示壁１２の一部をその裏面に前記被保持突起２６が突き刺さる前側保持部１３として利用することができるという利点もある。
【００４０】
また、本発明では、前記のように表示用窓１１の位置を問わず、この表示用窓１１の位置に合せてインジケータ保持部１６の位置が設定されればよい。例えば、図８に示す構造のように表示壁の中央部位に表示用窓が設けられている場合も、その表示用窓の裏側にインジケータ保持部が構築されればよい。しかし、本発明の効果は、前記実施形態のようにボタン本体１０の端部にインジケータ２０が装着される場合に特に顕著である。すなわち、インジケータ２０が前記表示壁１２の端部の裏側の位置、換言すれば、当該表示壁１２の裏面から延びる保持壁１５の外側の位置に配置されながらも、当該保持壁１５と、当該保持壁の外側面から突出する拘束部１７と、表示壁１２における前側保持部１３の裏面への被保持突起２６の突き刺さりと、後側保持部１８による後側からのインジケータ２０の拘束と、の連携により、当該インジケータ２１０を安定して保持することができる。
【符号の説明】
【００４１】
２      内装パネル
１０    ボタン本体
１１    表示用窓
１２    表示壁
１３    前側保持部
１５    保持壁
１６    インジケータ保持部
１７    拘束部
１８    後側保持部
２０    インジケータ
２１    前側面
２２    インジケータ本体
２４    表示部
２６    被保持突起
２８    被係止突起
【図１】
0005904004.tif 000002
【図２】
0005904004.tif 000003
【図３】
0005904004.tif 000004
【図４】
0005904004.tif 000005
【図５】
0005904004.tif 000006
【図６】
0005904004.tif 000007
【図７】
0005904004.tif 000008
【図８】
0005904004.tif 000009